(57)【要約】【課題】無瞬断切替可能なモードで運用をしている場合に、無瞬断切替を行うことができないような送信装置側の装置内部の一部に障害が発生した場合を含む無瞬断モードにおける好適な切替処理を行うこと。【解決手段】同一の映像信号を入力するための複数の信号入力部と、前記複数の信号入力部のすべてから映像信号の分配をそれぞれ受ける複数の送信部と、分配を受けた複数の信号入力部からの映像信号の中から一の映像信号を選択させるための送信制御部と、を有する送信装置と、送信される映像信号を受信する複数の受信部と、複数の受信部からの映像信号のいずれか一を選択して外部に出力する信号出力部と、信号出力部に対して映像信号の選択を行わせるための受信制御部であって、複数の信号の中からいずれか一の受信部からの映像信号の選択を無瞬断切替可能に行わせるための受信制御部と、を有する受信装置と、からなる冗長伝送システムを提供する。【選択図】図１
2009017508.tif 000002
【特許請求の範囲】
【請求項１】
同一の映像信号を入力するための複数の信号入力部と、
前記複数の信号入力部のすべてから映像信号の分配をそれぞれ受ける複数の送信部と、
分配を受けた複数の信号入力部からの映像信号の中から一の信号入力部からの映像信号を選択させるための動作をそれぞれの送信部に行わせるための制御を行う送信制御部と、
を有する送信装置と、
前記複数の送信部と対を成し、対を成した送信部から送信される映像信号を受信する複数の受信部と、
複数の受信部からの映像信号のいずれか一を選択して外部に出力する一以上の信号出力部と、
信号出力部に対して映像信号の選択を行わせるための受信制御部であって、複数の受信部からの映像信号の中からいずれか一の受信部からの映像信号の選択を無瞬断切替可能に行わせるための受信制御部と、を有する受信装置と、
からなる冗長伝送システム。
【請求項２】
送信制御部は複数の送信部と対を成していることを特徴とする請求項１に記載の伝送冗長システム。
【請求項３】
送信制御部は、
送信部が選択している信号入力部からの映像信号の伝送エラー情報を検出する送信側伝送エラー情報検出手段と、
検出された伝送エラー情報に基づいて、選択している信号入力部からの映像信号を他の信号入力部からの映像信号に切り替えるための制御を送信部に対して行う送信側伝送エラー情報依存選択制御手段と、を有する請求項１又は２に記載の冗長伝送システム。
【請求項４】
受信制御部は、
信号出力部が選択している受信部からの映像信号の受信伝送エラー情報を検出する受信側伝送エラー情報検出手段と、
検出された受信伝送エラー情報にて特定されるエラー種別に応じて、選択している映像信号を他の映像信号に切り替えるためのエラー種別に応じた異なる制御を信号出力部に対して行う受信側伝送エラー情報依存選択制御手段と、を有する請求項１から３のいずれか一に記載の冗長伝送システム。
伝送システム。
【請求項５】
前記複数の送信部と受信部との対は、現用系および予備系の伝送路を構成し、
前記受信装置の信号出力部は、
現用系および予備系を介して送信装置から送信される信号をそれぞれバッファするバッファ手段を有し、
受信制御部は、
バッファすべき映像信号が送信装置のどの信号入力部から送信部に分配された映像信号であるかを識別する信号入力部識別手段と、
前記識別結果が、現用系・予備系ともに別の信号入力部からの信号に切り替わったとの識別結果である場合には、以降にバッファ手段にバッファする信号のクリア処理及び／またはクロック再調整処理をするリセット手段と、
を有する請求項１から４のいずれか一に記載の冗長伝送システム。
【請求項６】
同一の映像信号を入力するための複数の信号入力部と、前記複数の信号入力部のすべてから映像信号の分配をそれぞれ受ける複数の送信部と、を有する送信装置と、前記複数の送信部と対を成し、対を成した送信部から送信される映像信号を受信する複数の受信部と、複数の受信部からの映像信号のいずれか一を選択して外部に出力する一以上の信号出力部と、を有する受信装置と、を用いる冗長伝送方法であって、
送信装置に、
映像信号を入力する信号入力ステップと、
入力した映像信号を分配する分配ステップと、
伝送エラー情報を検出したかを判断する判断ステップと、
伝送エラー情報を検出した場合には、送信部に対して、選択している信号入力部からの映像信号を他の信号入力部からの映像信号に切り替えるための制御を行う送信側伝送エラー情報依存選択制御ステップと、
選択している信号入力部からの映像情報を送信する送信ステップと、
を実行させ、
受信装置に、
信号出力部に対して映像信号の選択を行わせるための受信制御ステップであって、複数の受信部からの映像信号の中からいずれか一の受信部からの映像信号の選択を無瞬断切替可能に行わせるための受信制御ステップを実行させる冗長伝送方法。
【請求項７】
前記複数の送信部と受信部との対は、現用系および予備系の伝送路を構成し、
前記受信装置は、
現用系および予備系を介して送信装置から送信される信号をそれぞれバッファするバッファステップと、
バッファすべき映像信号が送信装置のどの信号入力部から送信部に分配された映像信号であるかを識別する信号入力部識別ステップと、
前記識別結果が、現用系・予備系ともに別の信号入力部からの信号に切り替わったとの識別結果である場合には、以降にバッファ手段にバッファする信号のクリア処理及び／またはクロック再調整処理をするリセットステップと、
を有する請求項６に記載の冗長伝送方法。
【発明の詳細な説明】
【技術分野】
【０００１】
本発明は、伝送冗長システムに関する。さらに詳細には、装置内におけるインタフェース部分の冗長性を向上させた伝送冗長システムに関する。
【背景技術】
【０００２】
従来より、高精細な映像信号などを伝送するシステムにおいては、高い信頼性を確保するために様々な冗長構成が採用されている。
【０００３】
例えば、送信側の装置と受信側の装置との間に現用系と予備系の二重化伝送路を設けた冗長構成が採られている。そして、それぞれの伝送路には、同一の情報を伝送しておき、現用系の伝送路に障害が発生した場合に受信装置側において現用系から予備系に系を切替えることによって、瞬断することなく伝送された映像情報を他の装置などに出力し続けることが可能な技術が採用されている（特許文献１参照）。
【０００４】
また、伝送路のみならず装置内における冗長構成に関する技術も提案されている。図１５は、従来行われている装置内における冗長構成の一例を示す図である。図１５（ａ）においては、複数の信号入力部と複数の信号出力部を有する構成となっている。また、図１５（ａ）においては、送信装置に入力される信号を分配して複数の信号出力部に対して装置内にて二重化冗長を構成している（特許文献２参照）。
【特許文献１】特開平０９−０３６８２６号公報
【特許文献２】特開２０００−０７８２３９号公報
【発明の開示】
【発明が解決しようとする課題】
【０００５】
このように、各種の冗長構成に関する技術が提案されているが、例えば特許文献１に記載の無瞬断切替可能なモードで運用をしている場合に、送信装置側の装置内部の一部に障害が発生した場合には、各種設定を再度行わなければ無瞬断モードでの運用を続けることができなかった。
【０００６】
つまり、例えば図１５（ｂ）に示すように、送信装置側の信号入力部Ａに障害が発生した場合には、別の信号入力部Ｂからの信号に切り替える必要が生じる。この場合、伝送路の現用系・予備系のいずれも信号入力部Bを経由する信号に切り替わることになるため、再度無瞬断モードを運用するための設定を行う必要がある。例えば送信装置側にてＩＰアドレス・ＭＡＣアドレス・スロット番号などを変更したり、あるいは、受信装置側にて同様の変更を行うことが必要となる。このような切り換え処理は、例えば映像伝送装置のように高精細な大容量の情報信号を伝送するシステムにおいて必然的に採用される態様である。つまり、大容量の情報信号を伝送する際には使用可能な帯域に制限が生じてしまい、信号入力部ＡとＢの両方の信号を併せて送信することができない場合があるため、このような構成が用いられる。そして、前述のように信号入力部Ａに障害が発生した場合には、受信装置側にて前記設定変更をする処理が必要となるが、この変更作業に起因して、映像がわずかながら途切れてしまう事象が必然的に発生してしまうことになる。一方で、伝送路障害のように無瞬断切替が可能な場合には、このような映像の途切れが生じることはない。
【０００７】
従って、無瞬断モードで運用をしている場合においては、その障害の種別に応じて無瞬断切替えが可能な否かを判断して最適な切替処理を行う技術が必要となる。
【０００８】
そこで、本発明は、かかる課題に鑑みてなされたものであり、無瞬断モードで運用している場合において、無瞬断切替を行うことができないような各装置内部のインタフェース基板などにて障害が発生した場合に、無瞬断切替が可能か否かを判断して最適な切替処理を行うことが可能な冗長伝送システムを提供することを目的とする。
【課題を解決するための手段】
【０００９】
そこで、本発明においては、かかる課題を解決するために、同一の映像信号を入力するための複数の信号入力部と、前記複数の信号入力部のすべてから映像信号の分配をそれぞれ受ける複数の送信部と、分配を受けた複数の信号入力部からの映像信号の中から一の信号入力部からの映像信号を選択させるための動作をそれぞれの送信部に行わせるための制御を行う送信制御部と、を有する送信装置と、前記複数の送信部と対を成し、対を成した送信部から送信される映像信号を受信する複数の受信部と、複数の受信部からの映像信号のいずれか一を選択して外部に出力する一以上の信号出力部と、信号出力部に対して映像信号の選択を行わせるための受信制御部であって、複数の受信部からの映像信号の中からいずれか一の受信部からの映像信号の選択を無瞬断切替可能に行わせるための受信制御部と、を有する受信装置と、からなる冗長伝送システムを提供する。かかる構成により、無瞬断切替機能を発揮しつつ、かつ、無瞬断切替を行うことができないような装置内部のインタフェース基板などに障害が発生した場合であっても好適な切り替え処理を実現することができる。
【００１０】
送信制御部は、送信部が選択している信号入力部からの映像信号の伝送エラー情報を検出する送信側伝送エラー情報検出手段と、検出された伝送エラー情報に基づいて、選択している信号入力部からの映像信号を他の信号入力部からの映像信号に切り替えるための制御を送信部に対して行う送信側伝送エラー情報依存選択制御手段と、を有してもよい。また、受信制御部は、信号出力部が選択している受信部からの映像信号の受信伝送エラー情報を検出する受信側伝送エラー情報検出手段と、検出された受信伝送エラー情報にて特定されるエラー種別に応じて、選択している映像信号を他の映像信号に切り替えるためのエラー種別に応じた異なる制御を信号出力部に対して行う受信側伝送エラー情報依存選択制御手段と、を有してもよい。
【００１１】
また、前記複数の送信部と受信部との対は、現用系および予備系の伝送路を構成し、前記受信装置の信号出力部は、現用系および予備系を介して送信装置から送信される信号をそれぞれバッファするバッファ手段を有し、受信制御部は、バッファすべき映像信号が送信装置のどの信号入力部から送信部に分配された映像信号であるかを識別する信号入力部識別手段と、前記識別結果が、現用系・予備系ともに別の信号入力部からの信号に切り替わったとの識別結果である場合には、以降にバッファ手段にバッファする信号のクリア処理及び／またはクロック再調整処理をするリセット手段を有してもよい。
【発明の効果】
【００１２】
本発明によれば、障害が発生した場合には、その障害が無瞬断切替を実行可能な障害であるか否かによって、好適な切り替え制御を行うことが可能となる。そして、無瞬断切替機能を発揮しているシステムにおいて、無瞬断切替を行うことができないような装置内のインタフェース基板に障害が発生した場合であっても、適切に設定変更を行い、速やかに、無瞬断切替機能を発揮できる状態に復帰することが可能となるため、システムの信頼性をより一層向上させることが可能となる。
【発明を実施するための最良の形態】
【００１３】
以下に、各発明の実施の形態を説明する。なお、本発明はこれら実施の形態に何ら限定されるものではなく、その要旨を逸脱しない範囲において、種々なる態様で実施し得る。
【００１４】
なお、以下の実施形態と請求項の関係は次の通りである。
実施形態１は、主に請求項１、２などについて説明する。
実施形態２は、主に請求項３、６などについて説明する。
実施形態３は、主に請求項４、５、７などについて説明する。
【００１５】
<<実施形態１>>
<実施形態１の概要>
実施形態１は、本件発明における全体的な構成を示す実施形態である。送信装置に関する詳細な内容については実施形態２において説明を行い、受信装置に関する詳細な内容については、実施形態３において説明を行うものとする。
【００１６】
実施形態１は、送信装置と受信装置とを有する伝送システムに関する。送信装置からは、現用系と予備系の伝送路を通じて受信装置に対して信号が送信される。受信装置側においては、仮に現用系の信号が何かしらの障害で途切れてしまった場合には、予備系の伝送路を利用して送信される信号に無瞬断で切り替える。かかるシステムにおいて、伝送路上ではなく、無瞬断切替えができない送信装置内部のインタフェース基板障害が発生した場合であっても、自動的に送信装置内にて他のインタフェース基板からの信号に切替処理が行われるため、再設定時の処理に起因して瞬間的に映像が瞬断してしまうものの速やかに無瞬断モードに復帰させることが可能となる。なお、本明細書において、無瞬断モードとは、無瞬断切替機能を発揮して運用がなされている状態を意味する。具体的には、送信装置から信号を受信した受信装置が外部の映像装置などに信号を出力している場合において、現用系に障害が発生しても受信装置にて予備系の信号に切替を行い、伝送遅延を調整することで、受信装置から外部の映像装置などに対して出力する信号を瞬断させずに伝送処理の運用を持続することができる、というモードである。
【００１７】
<実施形態１の構成>
図１は、実施形態１における冗長伝送システムの機能ブロック図の一例を示す図である。図１に示すように、本実施形態の冗長伝送システムは、「送信装置」１００と、「受信装置」１１０と、からなる。送信装置１００は、複数の「信号入力部」１０１Ａ・Ｂと、複数の「送信部」１０２Ａ・Ｂと、「送信制御部」１０３Ａ・Ｂと、を有する。受信装置１１０は、複数の「受信部」１１１Ａ・Ｂと、一以上の「信号出力部」１１２Ａ・Ｂと、「受信制御部」１１３Ａ・Ｂと、を有する。
【００１８】
本件発明の構成要素である各部は、ハードウエア、ソフトウエア、ハードウエアとソフトウエアの両者、のいずれかによって構成される。例えば、これらを実現する一例として、マイクロプロセッサを利用する場合には、マイクロプロセッサ、メモリ、バス、インターフェイス、各種のＬＳＩなどから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１９】
最初に送信装置１００の構成について説明する。なお、本明細書においては説明の便宜のために送信装置と受信装置とを分けて説明するが、これらの両者の機能を兼ね備えた送受信装置から構成されるシステムであってもよいことはもちろんである。
【００２０】
「信号入力部」１０１Ａ・Ｂは、送信装置が複数有しているものであり、同一の映像信号を入力するためのものである。信号入力部には、例えば外部の映像機器から映像信号が入力される。一例としては、一の映像信号を受けた映像分配器（図示しない）にて映像信号が分配され、この分配された映像信号が送信装置の複数の信号入力部に入力される。信号入力部は、具体的には例えば映像信号入力のインタフェースを有している基板が挙げられ、図２に示すように、装置筐体内に複数格納される。そして、例えば一の基板に障害が発生した場合には、他の基板に入力される映像信号を用いてその後の処理を行うことになる。なお、信号入力部にて入力された映像信号に関しては、例えばパケット化する処理が行われてもよく、この場合には、インタフェース毎に異なる送信元アドレスや宛先アドレスを用いてパケット化する処理が行われても良い。
【００２１】
「送信部」１０２Ａ・Ｂは、送信装置が複数有しているものであり、前記複数の信号入力部のすべてから映像信号の分配をそれぞれ受ける。送信部としては、例えば光回線（ＳＴＭ１６／ＯＣ４８）のインタフェース機能を少なくとも有している基板が挙げられる。信号出力部は、例えばマルチプレクサ（ＭＵＸ）などの選択手段を有している。複数の送信部は、分配された映像信号のうち一の映像信号をそれぞれ選択して、例えば現用系と予備系の伝送路を用いて映像信号の送信を行う。
【００２２】
「送信制御部」１０３Ａ・１０３Ｂは、分配を受けた複数の信号入力部からの映像信号の中から一の信号入力部からの映像信号を選択させるための動作をそれぞれの送信部に行わせるための制御を行う。「映像信号を選択させるための動作」とは、例えば先に説明したＭＵＸなどの選択手段に対して制御信号を出力することが挙げられる。送信部には、複数の信号入力部に入力される同一の映像信号が分配されるため、送信部に分配される複数の映像信号は同一の信号となる。そして、送信制御部は、これらの複数の映像信号を選択させるための制御を行う。例えば信号入力部１０１Ａに故障が発生した場合であっても信号入力部１０１Ｂから分配された映像信号に選択を切替えることで、映像信号の送信処理を継続して行うことができる。送信制御部は、例えば光回線インタフェースを有する基板内にそれぞれ設けることが好ましい。送信制御部自体に故障が発生した場合に、仮に送信装置内に送信制御部が一つしかない場合には、受信装置に対して映像信号を送信するための切り替えを行うことができなくなってしまうからである。このように、送信制御部を送信部と対を成すように構成することによって、制御部自体に故障が発生した場合であっても、切替処理を行うことができ信頼性を向上させることが可能となる。
【００２３】
次に受信装置１１０について説明する。受信装置は、送信装置から送信される信号を受信して、他の外部装置に対して信号を出力する装置である。
【００２４】
「受信部」１１１Ａ・Ｂは、受信装置が複数有している構成であり、前記複数の送信部と対を成し、対を成した送信部から送信される映像信号を受信する。受信部は例えば、送信装置の送信部と同様に、光回線（ＳＴＭ１６／ＯＣ４８）のインタフェース機能を少なくとも有している基板が挙げられる。複数の受信部は、例えば現用系と予備系との伝送路を利用した映像信号を受信する。
【００２５】
「信号出力部」１１２Ａ・Ｂは、受信装置が一以上有しているものであり、複数の受信部からの映像信号のいずれか一を選択して外部に出力する。信号出力部としては、例えば信号入力部と同様にＨＤ−ＳＤＩ信号やＳＤ−ＳＤＩ信号などの映像信号を外部装置に対して出力するインタフェースを有する基板が挙げられる。信号出力部は、例えばパケット化された信号をアンパケット化して映像信号として出力してもよい。信号出力部には、現用系の伝送路を通じて伝送された映像信号と、予備系の伝送路を通じて伝送された映像信号とがそれぞれ入力される。そして、信号出力部は、例えば、これらの現用系・予備系を通じて得られた映像信号のいずれか一を選択して外部に出力する。信号出力部は、例えばマルチプレクサ（ＭＵＸ）などの選択回路を有している。なお、図示していないが、図１の場合にて信号出力部１１２Ａ・Ｂから出力された映像信号は、例えば外部の映像切替器に入力されて、一の映像信号としてその後さらに後段の装置に対して出力がなされてもよい。
【００２６】
「受信制御部」１１３Ａ・Ｂは、信号出力部に対して映像信号の選択を行わせるためのものであって、複数の受信部からの映像信号の中からいずれか一の受信部からの映像信号の選択を無瞬断切替可能に行わせるためのものである。受信制御部は、例えば先に説明したＭＵＸなど選択手段に対して選択制御を行うものである。「無瞬断切替可能」とは、例えば現用系の伝送路に障害が発生した場合には、予備系の伝送路を通じて得られた信号に切替えることで、外部装置に対して出力する映像信号を瞬断させることなく出力することが可能なことを意味する。具体的には、受信装置にバッファを設けておき、障害が発生した場合には、バッファされている情報を用いて現用系・予備系の間の伝送遅延差を吸収する（位相合わせを行う）ことにより、映像の乱れを防ぐことができる。受信制御部は、例えば後の実施形態で説明するようなエラー情報に基づいて映像信号の選択制御を行う。
【００２７】
本発明においては、送信部において信号入力部を２つ有する構成を示し、これと同数の送信部を有する構成を示したが、このような態様に何ら限定されるものではない。例えば、信号入力部を３つ設けて、３重化冗長構成をとってもよい。また、送信部に関しても現用系１本と予備系１本の伝送路を有する構成を例に挙げて説明したが、予備系が２本以上あってもよい。また、信号入力部と送信部は対になっていなくてもよく、例えば信号入力部をＮ、送信部をＭ（ＮとＭとは異なる自然数）となるように構成してもよい。
【００２８】
以上が、本システムにおける全体的な構成である。以下、各構成の詳細について説明する。
【００２９】
<<実施形態２>>
<実施形態２の概要>
実施形態２は、実施形態１で説明した送信装置に関してさらに詳細に説明する。送信装置は、装置内部の信号入力部が故障してしまった場合に、他の信号入力部からの信号へと選択切替えを行うというものである。
【００３０】
<実施形態２の構成>
図３は、実施形態１で説明した送信装置の機能ブロックをさらに詳細に示した図である。実施形態２における冗長伝送システムは、実施形態１と同様に、送信装置３００と、受信装置（図示しない）と、から構成される。受信装置に関する内容については、後の実施形態において詳細に説明するため、ここでの説明は省略する。図３における送信装置３００は、複数の「信号入力部」３０１Ａ・Ｂと、複数の「送信部」３０２Ａ・Ｂと、「送信制御部」３０３Ａ・Ｂと、を有する。送信制御部３０３Ａ・Ｂは、「送信側伝送エラー情報検出手段」３０４Ａ・Ｂと、「送信側伝送エラー情報依存選択制御手段」３０５Ａ・Ｂと、を有する。送信側伝送エラー情報検出手段３０４Ａ・Ｂと、送信側伝送エラー情報依存選択制御手段３０５Ａ・Ｂとを除く各構成については、実施形態１で説明したものと同様であるため、ここでの説明は省略する。
【００３１】
「送信側伝送エラー情報検出手段」３０４Ａ・Ｂは、送信制御部が有しているものであり、送信部が選択している信号入力部からの映像信号の伝送エラー情報を検出する。伝送エラー情報とは、例えば信号入力部から送信部の選択手段間におけるエラーが発生したことを示す情報のことである。図４を用いて伝送エラー情報について説明する。映像信号は、例えばパケット化された情報として送信される。そこで、送信側伝送エラー情報検出手段においては、ＩＰパケットのパケット欠落や、パケットが所定時間経過しても到着しない場合のようなパケットの受信タイムアウトなどを検出する。送信側伝送エラー情報検出手段は、図４で示すところのｙの部分のエラーを検出するものである。なお、図４のｘで示す部分に関しては、現用系の伝送路におけるエラーであるため、従来行われている無瞬断切り替えが受信装置側にて行われることになる。本実施形態においては、伝送路の障害ではなく、送信装置内部の例えば映像入力インタフェース基板から光回線インタフェース基板間のエラー情報を検出して、これに応じた処理を行うというものである。
【００３２】
「送信側伝送エラー情報依存選択制御手段」３０５Ａ・Ｂは、検出された送信側伝送エラー情報に基づいて、選択している信号入力部からの映像信号を他の信号入力部からの映像信号に切り替えるための制御を送信部に対して行う。送信側伝送エラー情報選択制御手段は、主に送信部に含まれているＭＵＸなどの選択手段に対して選択制御命令を出力する。そして、障害を検出した信号入力部とは別の信号入力部から入力された映像信号を用いて受信装置に対して映像信号を送信させる制御を行う。
【００３３】
このように信号入力部などの入力系統に障害が発生した場合であっても、出力系統である送信部にて送信対象とする映像信号の切り替え処理を行うことで、ほとんどタイムロスすることなく切り替え処理を完結することができる。
【００３４】
<実施形態２の処理の流れ>
図５は、実施形態２における送信装置の処理の流れの一例を示す図である。まず、外部の分配器などにて分配された同一の映像信号を入力する（Ｓ５０１）。次に、入力された映像信号を全ての送信部に分配する（Ｓ５０２）。次に、伝送エラー情報を検出したかを判断する（Ｓ５０３）。Ｓ５０３にて送信側伝送エラー情報を検出した場合には、選択している信号入力部からの映像信号を他の信号入力部からの映像信号に切り替える（Ｓ５０４）。その後は、再び共通のステップに戻り、選択している信号入力部からの映像信号を受信装置に対して送信する（Ｓ５０５）。以上の処理が、映像信号が入力される間、繰り返し行われる。
【００３５】
<実施形態２の効果>
実施形態２においては、送信装置側の信号入力部などの入力系統に障害が発生した場合であっても、直ちにその障害の発生を検出し、別の信号入力部からの映像信号に選択を切り替えることによって、受信装置側に対して長時間片系のみからしか映像信号が送信できない状態を解消することができる。
【００３６】
<<実施形態３>>
<実施形態３の概要>
実施形態３は、実施形態１で説明した受信装置に関してさらに詳細に説明する。受信装置は無瞬断モードで運用されている状態となっており、この場合において受信装置が受信伝送エラー情報を検出した場合における各種の処理を説明するものである。
【００３７】
<実施形態３の構成>
図６は、実施形態１で説明した受信装置の機能ブロック図を示すものである。実施形態
３における冗長伝送システムは、実施形態１と同様に、送信装置（図示しない）と、受信装置６１０と、から構成される。送信装置に関する内容については、実施形態１又は２で説明したものと同様であるため、ここでの説明は省略する。図６における受信装置６１０は、複数の「受信部」６１１Ａ・Ｂと、一以上の「信号出力部」６１２Ａ・Ｂと、受信制御部６１３Ａ・Ｂと、を有する。受信制御部６１３Ａ・Ｂは、「受信側伝送エラー情報検出手段」６１４Ａ・Ｂと、「受信側伝送エラー情報依存選択制御手段」６１５Ａ・Ｂと、を有する。受信側伝送エラー情報検出手段６１４Ａ・Ｂと、受信側伝送エラー情報依存選択制御手段６１５Ａ・Ｂと、を除く各構成については、実施形態１で説明したものと同様であるため、ここでの説明は省略する。
【００３８】
「受信側伝送エラー情報検出手段」６１４Ａ・Ｂは、受信制御部が有しているものであり、信号出力部が選択している受信部からの映像信号の受信伝送エラー情報を検出する。受信伝送エラー情報とは、例えば受信部にて受信した信号のパケットの欠落や、パケットが所定時間経過しても到着しない場合のようなパケットの受信タイムアウトなどを示す情報のことである。また、送信装置内部のインタフェース故障に起因して発生するＩＰヘッダのアドレス情報の相違なども受信伝送エラー情報に含まれる。受信側伝送エラー情報検出手段は、検出した受信側伝送エラー情報に基づいて、エラーの種別を特定することができる。エラー種別とは、例えば無瞬断切替が可能なエラー（例えば、伝送路障害）であるか、あるいは、無瞬断切替が不可能なエラー（例えば、映像入力インタフェース基板障害）であるかである。一例としては、パケットヘッダの送信アドレス・宛先アドレスなどが変更されたパケットが到着した場合には、インタフェース基板障害とエラーを特定し、また、パケットの未達状態が所定時間続いた場合には伝送路障害などとエラーを特定することが挙げられる。
【００３９】
受信部は、既に説明したように、複数の送信部と対をなしているものであり、例えば現用系と予備系の伝送路を通じて送信される映像信号を受信する複数の受信インタフェースを有する基板である。そして、複数の受信部（基板）のうち、いずれかの、又は、全部の受信部にて受信した受信伝送エラー情報の検出の有無によって、後述するように各種の異なる切り替え制御などを行う。
【００４０】
「受信側伝送エラー情報依存選択制御手段」６１５Ａ・Ｂは、検出された受信伝送エラー情報にて特定されるエラー種別に応じて、選択している映像信号を他の映像信号に切り替えるためのエラー種別に応じた異なる制御を信号出力部に対して行う。受信側伝送エラー情報依存選択制御手段は、送信装置側の選択制御手段と同様に、主に信号出力部に含まれているＭＵＸなどの選択手段に対して選択制御命令を出力する。そしてエラー種別に応じて、以下のように異なる制御を行うことになる。
【００４１】
以下、本実施形態における各ケースについて図７〜図１１を基に説明する。
【００４２】
図７〜図１１においては、受信伝送エラー情報を検出した受信装置において、どのような動作を行うかについて、複数のケースを提示している。図７は、各ケースにおける基本的な構成を示す図である。図７の＃１と＃２は、信号入力部を構成する基板であり、また、送信部の内部には複数の信号入力部からの信号を選択して出力する選択手段が含まれているものとする。そして、送信装置から受信装置に対して現用系・予備系の伝送路を通じて映像信号を送信している。受信装置側の＃３と＃４は、信号出力部を構成する基板であり、現用系・予備系の受信部から受信した映像信号を無瞬断切り替え可能に選択して出力する。そして、前提として、デフォルト状態において現用系・予備系を通じて送信される映像信号は、＃１に入力された映像信号であるものとする。また、＃３で出力する映像信号は、現用系を通じて送信された＃１に入力された映像信号であるものとする。
【００４３】
（パターン１）
図８は、パターン１の例を説明するための図である。パターン１は、現用系の伝送路に障害が発生した場合のパターンである。この場合には、従来の無瞬断切り替え処理を実行する。すなわち、現用系を通じて伝送されている映像信号が途切れてしまった場合には、受信装置側の信号出力部においては、例えばバッファされている映像信号の情報を用いて予備系を通じて伝送される映像信号との位相差を合わせて外部装置などに対して映像に瞬断を生じさせることなく出力を行う。なお、パターン１のような無瞬断切替えは伝送路の障害以外にも、例えば送信部Ａ、受信部Ａに障害が発生した場合、あるいは、受信部Ａから＃３までの配線に障害が発生した場合にも同様に行うことができる。
【００４４】
（パターン１´）
図９は、パターン１´を説明するための図である。パターン１´についてもパターン１と同様に無瞬断切り替え処理を実行するパターンであり、パターン１´は、現用系の伝送路自体には障害が発生していないものの、送信部にて選択している基板が＃１から＃２に変更されたパターンである。この場合にも、パターン１と同様に無瞬断切り替え処理を実行する。本パターンは、図９のＰ２で示す部分のように、映像信号入力基板（信号入力部）から光信号出力基板（送信部）との間における配線などに破損が生じた場合などのケースである。かかる場合においては、送信装置内では、送信部Ａから出力される映像信号は、＃１に入力された映像信号から＃２に入力された映像信号を用いるように、選択の切り替え処理が実行される。これに対して、受信装置側においては、現用系の受信部Ａにて受信した映像信号は＃２にて入力された映像信号であり、予備系である受信部Ｂにて受信した映像信号は＃１にて入力された映像信号となる。すると、受信装置においては、現用系を通じて送信された映像信号が＃１から＃２に変更されたことを検出し、何かしらの障害が発生したものと判断する。一方、予備系からは依然として＃１の映像信号が送信されている。この場合、受信装置は、パターン１と同様に、予備系の伝送路を通じて送信される＃１の映像信号に無瞬断切り替えを行うことになる。
【００４５】
（パターン２）
図１０は、パターン２を説明するための図である。パターン２は、伝送路自体には現用系・予備系のどちらも障害が発生してないものの、送信部にて選択している基板が＃１から＃２にどちらも変更されたパターンである。すなわち、送信装置の映像信号入力基板（信号入力部）＃１が故障した場合がパターン２のケースである。この場合には、送信装置の送信部はＡ・Ｂともに＃２からの映像信号に切り替え処理を行って送信を行う。これに対して、受信装置においては、受信部Ａ・Ｂともに＃１から＃２の信号に切り替わって送信されたことを検出する。これにより、受信装置においては、送信装置の基板に障害が発生したために、別の基板からの信号に切り替わったと判断する。そこで、受信装置においては、この＃２の基板からの信号を利用して再度の無瞬断モードを運用するために、一時的にリセット処理を行う。リセット処理については後述する。
【００４６】
図１１は、以上のパターンを纏めるための図である。すなわち、図１１の（１）で示す部分については、送信装置の映像信号入力基板（信号入力部）に障害が発生した場合であり、無瞬断切替えを行うことができない障害である。よって、この場合には、受信装置側の信号出力部においては、後述するリセット処理を行って、速やかに再度の無瞬断モードに移る処理が行われる。図１１の（２）で示す部分については、無瞬断切替えが可能な障害であるため、受信装置の信号出力部においては、（２）の部分にて障害が発生した場合には、無瞬断切替え処理を行う。なお、図１１の（３）で示す部分のように、仮に信号出力部より後段の配線・伝送路などに障害が発生した場合には、例えば図１１の例においては、信号出力部＃４から出力される信号を用いて、後段の外部映像装置などで映像信号の切替を行うことで、信号出力部より後段において障害が発生した場合であっても瞬断させることなく切替を行うことも可能である。
【００４７】
図１２は、無瞬断切替えを行うことができない障害の場合、すなわち、図１０で示したパターン２における受信装置側の処理をより詳細に説明するための図である。図１２に示す受信装置の信号出力部１２０２は、「バッファ手段」１２０４を有する。受信制御部１２０３は、「信号入力部識別手段」１２０５と、「リセット手段」１２０６と、を有する。
【００４８】
「バッファ手段」１２０４は、現用系および予備系を介して送信装置から送信される信号をそれぞれバッファする。これは、無瞬断切り替えを行うために、伝送遅延を吸収する（位相調整をする）ためのバッファである。バッファ手段においては、現用系・予備系からの信号のバッファ領域を物理的に分けて有していてもよいし、論理的に分けて有していても良い。
【００４９】
「信号入力部識別手段」１２０５は、バッファすべき映像信号が送信装置のどの信号入力部から送信部に分配された映像信号であるかを識別する。例えば、信号入力部を有する基板回路にて映像信号をパケット化する処理を行う場合には、そのパケットの送信元や宛先のアドレス情報や、スロット番号などに基づいて、どの信号入力部から送信部に分配された映像信号であるかを識別する。
【００５０】
「リセット手段」１２０６は、前記識別結果が、現用系・予備系ともに別の信号入力部からの信号に切り替わったとの識別結果である場合には、以降にバッファ手段にバッファする信号のクリア処理及び／またはクロック再調整処理をする。すなわち、現用系・予備系ともに別の信号入力部からの信号に切り替わったということは、信号入力部を有する基板等に何かしらの障害が発生したと考えられるため、新たに別の信号入力部を用いて伝送処理を継続するとともに、無瞬断モードとしての運用を行うために、一旦、バッファする情報信号のクリア処理と、切替の際のタイミング誤差を調整するためのクロックの調整処理を行う。これにより、新たに別の信号入力部からの映像信号を用いて無瞬断モードでの運用を実行することができる。なお、バッファする信号のクリア処理について補足すると、信号入力部が切り替わった場合には、それまでバッファされていた映像信号についてはそのまま読み出し処理を継続して外部装置に対して出力し続ける。一方で、新たにバッファに情報信号を書き込む書き込み処理に関しては、書き込み先のアドレスを変更する（リセットする）ことで、バッファのクリア処理が行われる。そして、その後、バッファ手段に伝送路の遅延分を吸収できる程度に情報信号がバッファとして蓄積されるとバッファ手段の新たに書き込み処理を行ったアドレスからの読み出し処理が開始されて、外部装置などに対して映像信号が出力されることになる。
【００５１】
これにより、信号入力部が切り替わった場合には、受信装置から外部装置などへと出力する映像信号が瞬間的に途切れるものの、速やかに無瞬断モードに状態を遷移することができるため、信頼性を向上させた無瞬断システムを提供することができる。
【００５２】
<実施形態３の処理の流れ>
図１３は、実施形態３における受信装置の処理の流れの一例を示す図である。まず、送信装置から映像信号を受信する（Ｓ１３０１）。次に、現用系・予備系の伝送路を通じてそれぞれ受信した映像信号を信号出力部に分配する（Ｓ１３０２）。その後、受信伝送エラー情報を検出したかを判断する（Ｓ１３０３）。Ｓ１３０３にて受信伝送エラー情報を検出した場合には、運用している各種設定情報と、検出した受信伝送エラー情報に基づいてエラーの種別を特定する（Ｓ１３０４）。そして、Ｓ１３０５に進み、エラー種別に応じた処理を実行する。エラー種別が現用伝送路などの無瞬断切替が可能な障害である場合には、無瞬断切り替え処理を実行する（Ｓ１３０６）。無瞬断切替を行うことができないような信号入力部の障害である場合には、バッファクリア等を行い、再度設定を変更して無瞬断モードへと復帰する処理を行う（Ｓ１３０７）。予備系の伝送路に障害が発生した場合には、現用系を用いてそのまま伝送処理を続ける（Ｓ１３０８）。そして、その後、Ｓ１３０３にてエラーを検出しなかった場合も、エラー種別に応じた処理を行った場合も、同様に映像信号を外部映像装置などに対して出力をする（Ｓ１３０９）。
【００５３】
<実施形態３の効果>
実施形態３においては、受信装置側にて送信側のエラーの種別に応じて各種の切り替えや設定の変更などを行うことにより、無瞬断モードを維持しつつ、映像信号インタフェースを有する基板などに故障が発生した場合であっても、新たな無瞬断モードとして速やかに運用を続行することができる。
【００５４】
<その他の構成>
図１４は、以上で説明した構成以外のその他の構成例の一例について説明するための図である。図１４は、送信装置側のブロック図を示している。図１４は、４つの信号入力部１４０１Ａ〜Ｄを有している構成であり、それぞれの信号入力部からの信号が各送信部１４０２Ａ・Ｂに分配されている。そして、信号入力部１４０１Ａ・Ｂについては、同一の信号αが入力され、信号入力部１４０１Ｃ・Ｄには、信号入力部１４０１Ａ・Ｂに入力される信号αとは別の信号βが入力されている。この場合において、例えば送信部１４０２Ａでは、信号入力部１４０１Ａ・Ｂの信号αの送信処理を行っており、信号入力部１４０１Ｃ・Ｄからの信号βについては、宛先アドレス等の相違により、信号を破棄している状態となっている。このような場合において、例えば運用していない信号入力部１４０１Ｄに障害が発生した場合には、切替処理を行わない、といった運用を行うことももちろん可能である。
【図面の簡単な説明】
【００５５】
【図１】本発明の伝送冗長システムのを説明するための機能ブロック図
【図２】送信装置の筐体とスロットの一例を示す図
【図３】送信装置の機能ブロックの一例を示す図
【図４】伝送エラーを説明するための図
【図５】送信装置の処理の流れの一例を説明するための図
【図６】受信装置の機能ブロックの一例を示す図
【図７】受信装置における選択切替の例を説明するための基本図
【図８】受信装置における選択切替の第１のパターン例を説明するための図
【図９】受信装置における選択切替の第１´のパターン例を説明するための図
【図１０】受信装置における選択切替の第２のパターン例を説明するための図
【図１１】受信装置におけるパターンを纏めて説明するための図
【図１２】受信装置の信号出力部の具体的な機能ブロックの一例を示す図
【図１３】受信装置の処理の流れの一例を説明するための図
【図１４】その他の実施形態に係る送信装置の一例を示す図
【図１５】従来の冗長構成の一例を示す図。
【符号の説明】
【００５６】
１００  送信装置
１０１  信号入力部
１０２  送信部
１０３  送信制御部
１１０  受信装置
１１１  受信部
１１２  信号出力部
【図１】
2009017508.tif 000003
【図２】
2009017508.tif 000004
【図３】
2009017508.tif 000005
【図４】
2009017508.tif 000006
【図５】
2009017508.tif 000007
【図６】
2009017508.tif 000008
【図７】
2009017508.tif 000009
【図８】
2009017508.tif 000010
【図９】
2009017508.tif 000011
【図１０】
2009017508.tif 000012
【図１１】
2009017508.tif 000013
【図１２】
2009017508.tif 000014
【図１３】
2009017508.tif 000015
【図１４】
2009017508.tif 000016
【図１５】
2009017508.tif 000017